(57)【特許請求の範囲】
【請求項１】
アンモニア性窒素を電子供与体、亜硝酸性窒素を電子受容体として脱窒を行う独立栄養性脱窒微生物の集積方法であって、
微生物汚泥を、ＮＯx性窒素１〜１０００ｍｇ／Ｌを含む無機培養液中で、ＮＯx性窒素の濃度を１ｍｇ／Ｌ以上に保持するように、嫌気条件下で培養する前段の培養で自己消化させた後、
アンモニア性窒素および亜硝酸性窒素を含む無機培養液中で嫌気条件下に培養する後段の培養を含み、
アンモニア性窒素濃度の上昇が停止した時点、および／またはＮＯx性窒素濃度の減少が停止した時点を自己消化の終点とする
ことを特徴とする独立栄養性脱窒微生物の集積方法。
【請求項２】
アンモニア性窒素を電子供与体、亜硝酸性窒素を電子受容体として脱窒を行う独立栄養性脱窒微生物の集積方法であって、
硝化汚泥または脱窒汚泥を、ＮＯx性窒素１〜１０００ｍｇ／Ｌを含む無機培養液中で、ＮＯx性窒素の濃度を１ｍｇ／Ｌ以上に保持するように、溶存酸素濃度が１ｍｇ／Ｌ以下の嫌気条件下で培養する前段の培養で自己消化させた後、
アンモニア性窒素１〜１０００ｍｇ／Ｌおよび亜硝酸性窒素１〜２００ｍｇ／Ｌを含む無機培養液中で、溶存酸素濃度が０．５ｍｇ／Ｌ以下の嫌気条件下で培養する後段の培養を含み、
アンモニア性窒素濃度の上昇が停止した時点、および／またはＮＯx性窒素濃度の減少が停止した時点を自己消化の終点とする
ことを特徴とする独立栄養性脱窒微生物の集積方法。
【請求項３】
ＮＯx性窒素が硝酸性窒素である請求項１または２記載の集積方法。
【請求項４】
亜硝酸性窒素およびアンモニア性窒素を含む被処理水を、嫌気条件で請求項１ないし３のいずれかに記載の集積方法で集積した独立栄養性脱窒微生物と接触させて脱窒を行う生物学的窒素除去方法。
【発明の詳細な説明】
【０００１】
【発明の属する技術分野】
本発明はアンモニア性窒素を電子供与体、亜硝酸性窒素を電子受容体として脱窒を行う独立栄養性脱窒微生物の集積方法、特にアンモニア性窒素を含む排水の生物学的窒素除去に利用することができる独立栄養性脱窒微生物の集積方法および生物学的窒素除去方法に関する。
【０００２】
【従来の技術】
排水中に含まれるアンモニア性窒素は河川、湖沼および海洋などにおける富栄養化の原因物質の一つであり、排水処理工程で効率的に除去されることが望まれる。一般に、排水中のアンモニア性窒素は硝化と脱窒の２段階の生物反応によって窒素ガスにまで分解される。具体的には、硝化工程ではアンモニア性窒素はアンモニア酸化細菌によって亜硝酸性窒素に酸化され、この亜硝酸性窒素が亜硝酸酸化細菌によって硝酸性窒素に酸化される。次に脱窒工程ではこれらの亜硝酸性窒素および硝酸性窒素は従属栄養性細菌である脱窒菌により、有機物を電子供与体として利用しながら窒素ガスにまで分解される。
【０００３】
このような従属栄養性の脱窒菌を利用する従来の生物学的窒素除去では、脱窒工程において電子供与体としてメタノールなどの有機物を多量に添加する必要があるのでランニングコストを増加させている。また硝化工程では多量の酸素が必要であり、ランニングコストを増加させている。
【０００４】
ところで、嫌気条件下でアンモニア性窒素が電子供与体、亜硝酸性窒素が電子受容体となる独立栄養性の脱窒微生物群も知られている（FEMS Microbiology Letters, 16(1995), p177-184およびWat. Res., 31(1997), p1955-1962）。亜硝酸性窒素が電子受容体となる独立栄養性の脱窒微生物群は幾つかの排水処理系に存在することが確認されているが、公知の培養法ではコロニーを作らないため単離して純粋培養することが難しく、このため種々雑多な微生物の混合体から集積する必要がある。しかし、もともと存在数が少なく、増殖速度も遅いため、集積用の培養液中に目的の微生物が存在しているかどうかの判断が難しいほか、排水処理に適用できる量を集積することも非常に困難である。
このように、これまでに独立栄養性の脱窒微生物を高い確率で、かつ効率的に集積する方法については知られていない。
【０００５】
【発明が解決しようとする課題】
本発明の課題は、独立栄養性脱窒微生物を短期間で効率よく集積することができる独立栄養性脱窒微生物の集積方法、およびこの独立栄養性脱窒微生物を用いた生物学的窒素除去方法を提案することである。
【０００６】
【課題を解決するための手段】
本発明は次の独立栄養性脱窒微生物の集積方法および生物学的窒素除去方法である。
（１）  アンモニア性窒素を電子供与体、亜硝酸性窒素を電子受容体として脱窒を行う独立栄養性脱窒微生物の集積方法であって、
微生物汚泥を、ＮＯx性窒素１〜１０００ｍｇ／Ｌを含む無機培養液中で、ＮＯx性窒素の濃度を１ｍｇ／Ｌ以上に保持するように、嫌気条件下で培養する前段の培養で自己消化させた後、
アンモニア性窒素および亜硝酸性窒素を含む無機培養液中で嫌気条件下に培養する後段の培養を含み、
アンモニア性窒素濃度の上昇が停止した時点、および／またはＮＯx性窒素濃度の減少が停止した時点を自己消化の終点とする
ことを特徴とする独立栄養性脱窒微生物の集積方法。
（２）  アンモニア性窒素を電子供与体、亜硝酸性窒素を電子受容体として脱窒を行う独立栄養性脱窒微生物の集積方法であって、
硝化汚泥または脱窒汚泥を、ＮＯx性窒素１〜１０００ｍｇ／Ｌを含む無機培養液中で、ＮＯx性窒素の濃度を１ｍｇ／Ｌ以上に保持するように、溶存酸素濃度が１ｍｇ／Ｌ以下の嫌気条件下で培養する前段の培養で自己消化させた後、
アンモニア性窒素１〜１０００ｍｇ／Ｌおよび亜硝酸性窒素１〜２００ｍｇ／Ｌを含む無機培養液中で、溶存酸素濃度が０．５ｍｇ／Ｌ以下の嫌気条件下で培養する後段の培養を含み、
アンモニア性窒素濃度の上昇が停止した時点、および／またはＮＯx性窒素濃度の減少が停止した時点を自己消化の終点とする
ことを特徴とする独立栄養性脱窒微生物の集積方法。
（３）  ＮＯx性窒素が硝酸性窒素である上記（１）または（２）記載の集積方法。
（４）  亜硝酸性窒素およびアンモニア性窒素を含む被処理水を、嫌気条件で上記（１）ないし（３）のいずれかに記載の集積方法で集積した独立栄養性脱窒微生物と接触させて脱窒を行う生物学的窒素除去方法。
【０００７】
本明細書において、「ＮＯx」は硝酸および／または亜硝酸を意味する。また「脱窒」は特に断らない限り独立栄養性脱窒微生物による脱窒を意味する。さらに自己消化のための培養を「前段の培養」、自己消化後にアンモニア性窒素および亜硝酸性窒素を含む無機培養液中で嫌気的に行う培養を「後段の培養」と称する。
【０００８】
本発明の集積方法では、種汚泥となる微生物汚泥を、ＮＯx性窒素を含む培養液中で嫌気条件下で培養して自己消化させる（前段の培養）。この時使用する微生物汚泥としては、排水の好気性処理が行われている処理系から採取した活性汚泥、排水の生物学的脱窒処理が行われている処理系から採取した硝化汚泥もしくは脱窒汚泥、排水の嫌気性処理が行われている処理系から採取した生物汚泥、およびこれらの混合物などが好ましいが、これらに限定されない。これらの中では硝化汚泥または脱窒汚泥が好ましく、特に汚泥滞留時間（ＳＲＴ）が長いものが好ましく、具体的にはＳＲＴが１０日以上、好ましくは１５日以上、さらに好ましくは２０日以上の硝化汚泥または脱窒汚泥が望ましい。
【０００９】
自己消化させる際に使用する（前段の培養で使用する）培養液はＮＯx性窒素を含む無機培養液（以下、単に培養液という場合がある）であり、ＮＯx性窒素濃度は１〜１０００ｍｇ／Ｌであるのが望ましい。ＮＯx性窒素として硝酸性窒素を使用する場合硝酸性窒素の濃度は好ましくは１〜１０００ｍｇ／Ｌ、さらに好ましくは５〜５００ｍｇ／Ｌ、亜硝酸性窒素の場合の濃度は１〜２００ｍｇ／Ｌ、さらに好ましくは１〜１００ｍｇ／Ｌであるのが望ましい。
【００１０】
前段の培養を継続するに伴って、培養液中のＮＯx性窒素の濃度は減少するので、ＮＯx性窒素の濃度を常時１ｍｇ／Ｌ以上に保持し、上記範囲になるように補給するのが好ましい。硝酸性窒素の場合は、前段の培養開始時に上記範囲内で高濃度に調整した場合には補給の必要はない場合もあるが、亜硝酸性窒素の場合は高濃度に調整できないため通常補給が必要となる。
前段の培養を継続するに従って自己消化に伴うアンモニア性窒素が増加するので、培養液にアンモニア性窒素を添加する必要はないが、添加することもできる。添加する場合の初期濃度は１〜５００ｍｇ／Ｌとするのが望ましい。培養液には微生物の培養に用いられている公知の無機成分を添加することもできる。培養液には有機物は添加しない。
【００１１】
前段の培養は嫌気性条件で行うが、好ましくは溶存酸素濃度が１ｍｇ／Ｌ以下、さらに好ましくは検出限界以下の嫌気条件下で培養するのが望ましい。溶存酸素を除去するには、例えば次のような溶存酸素除去装置を用いて行うことができる。
【００１２】
１）被処理液に接触する気体の圧力を下げることによって酸素の溶解度を下げ、被処理液中から溶存酸素を除去する真空式脱気装置。
２）酸素を透過させ、水を透過させないガス分離膜を備え、液と反対側を減圧することによって、被処理液中の溶存酸素を減圧側に送り出す脱気膜装置。
３）被処理液に還元剤である水素ガスを注入溶解させた後、脱酸素樹脂充填層に通液し、脱酸素樹脂の触媒作用により脱酸素を行う脱酸素樹脂塔。
４）活性炭充填層に被処理液を通液し、溶存酸素を二酸化炭素に変換して除去する活性炭塔。
５）窒素ガス、メタンガス、アルゴンガス、ヘリウムガス、炭酸ガスまたはこれらの混合ガスなどの酸素を含まないガスを曝気し、溶存酸素を除去する無酸素ガス曝気装置。
【００１３】
自己消化させる際の培養条件はｐＨ５〜１０、好ましくは６．５〜９、温度１０〜５０℃、好ましくは２５〜４０℃であるのが望ましい。また暗所で培養するのが好ましい。
【００１４】
硝化菌は嫌気性条件では硝化反応を行うことはできず、自己消化して有機物とアンモニア性窒素になり、徐々に減少し、ついには死滅する。また脱窒菌やその他の従属栄養性微生物はＮＯxを利用して培養液中の有機物を消費するが、有機物は添加されないために徐々に自己消化して有機物とアンモニア性窒素になり、その有機物を利用してＮＯxを還元するが、しだいに減少し、ついには死滅する。目的とする独立栄養性脱窒微生物は、上記培養液中に存在するアンモニア性窒素とＮＯxを基質として上記培養条件で生育することができる。従って、前段の培養を継続していくと、独立栄養性脱窒微生物以外の微生物は自己消化により減少し、ついには死滅する。
【００１５】
自己消化の終点は、硝化菌、従属栄養性の脱窒菌およびその他の従属栄養性微生物がほぼ完全に死滅した時点とするのが好ましい。自己消化の終点の指標としては、アンモニア性窒素濃度の上昇が停止した時点とすることができる。またＮＯx性窒素濃度の減少が停止した時点とすることができる。
【００１６】
自己消化させた後はアンモニア性窒素および亜硝酸性窒素を含む無機培養液中で嫌気条件下に培養する（後段の培養）。培養条件は独立栄養性脱窒微生物の増殖に適した培養条件を選択するのが好ましい。
【００１７】
後段の培養に使用する培養液は、アンモニア性窒素の濃度１〜１０００ｍｇ／Ｌ、亜硝酸性窒素の濃度１〜２００ｍｇ／Ｌ、好ましくはアンモニア性窒素の濃度１〜６００ｍｇ／Ｌ、亜硝酸性窒素の濃度１〜９０ｍｇ／Ｌであるのが望ましい。
【００１８】
後段の培養は嫌気性条件で行うが、溶存酸素濃度が０．５ｍｇ／Ｌ以下、好ましくは検出限界以下の嫌気条件下で培養するのが望ましい。
培養条件はｐＨ５．５〜９．５、好ましくは６．５〜９、温度１０〜５０℃、好ましくは２５〜４０℃であるのが望ましい。また暗所で培養するのが好ましい。
【００１９】
このようにして後段の培養を継続し、アンモニア性窒素の濃度および亜硝酸性窒素の濃度が減少し、その減少速度が徐々に上昇する場合は、独立栄養性脱窒微生物が増殖し、集積していると認められる。アンモニア性窒素および亜硝酸性窒素は上記範囲の濃度を維持するように補給する。アンモニア性窒素の濃度および亜硝酸性窒素の濃度がほとんど変動しない場合もあるが、この場合は種汚泥中に独立栄養性脱窒微生物が存在していなかったと認められる。
【００２０】
なお前段の自己消化を省略して、種汚泥を直接後段の培養条件で培養しても、種々雑多な微生物が存在する状態では従属栄養性微生物により即座に亜硝酸が消費されるので、独立栄養性脱窒微生物の増殖に好適な条件を保持することができず、独立栄養性脱窒微生物を集積させることはできない。
【００２１】
本発明の集積方法により集積させた独立栄養性脱窒微生物は、排水の生物学的窒素除去に用いる生物汚泥として利用することができる。独立栄養性脱窒微生物を利用して排水の生物学的窒素除去を行うことにより、メタノールなどの添加有機物が不要となるともに、酸素供給量も少なくすることができるので、低コストで処理することが可能となり、また余剰汚泥の生成量が少なくなる。
【００２２】
本発明の生物学的窒素除去方法は、亜硝酸性窒素およびアンモニア性窒素を含む被処理水を、脱窒反応槽において、嫌気条件で、前記本発明の集積方法で集積した独立栄養性脱窒微生物と接触させて脱窒を行う生物学的窒素除去方法である。
本発明の生物学的窒素除去方法の処理の対象となる被処理水としては、下水、し尿、嫌気消化の脱離液、食品工場排水、半導体洗浄排水、電力コンデミ排水、肥料工場排水などのアンモニア含有水があげられる。被処理水は、有機物、硝酸性窒素、その他の不純物などを含んでいてもよい。有機性窒素化合物を含む被処理水は嫌気性処理または好気性処理などにより有機性窒素化合物をアンモニア性窒素に変換したのち、本発明の方法に供することができる。
【００２３】
本発明の生物学的窒素除去方法は、嫌気性条件下でアンモニア性窒素を電子供与体、亜硝酸性窒素を電子受容体とし、有機物を必要とすることなく、被処理水中の窒素を脱窒することができる。処理条件は、脱窒反応槽の槽内液のアンモニア性窒素濃度５〜１０００ｍｇ／Ｌ、亜硝酸性窒素濃度５〜２００ｍｇ／Ｌ、モル比でアンモニア性窒素１に対して亜硝酸性窒素０．５〜２、好ましくは１〜１．５、溶存酸素濃度０．５ｍｇ／Ｌ、好ましくは０．１ｍｇ／Ｌ、ｐＨ５．５〜９．５、温度１０〜５０℃とするのが好ましい。
【００２４】
なお、被処理水に亜硝酸性窒素が含まれていない場合は、脱窒反応槽の前段でアンモニア性窒素を亜硝酸性窒素まで酸化し、この酸化処理水と被処理水とを混合し、アンモニア性窒素と亜硝酸性窒素とのモル比が前記範囲になるように調整して脱窒反応槽に導入するのが好ましい。また、被処理水のアンモニア性窒素の一部を亜硝酸性窒素に酸化して脱窒反応槽に導入することもできる。さらに、脱窒反応槽の内部にアンモニア酸化細菌と独立栄養性脱窒微生物とを共存させ、アンモニア酸化細菌によるアンモニア性窒素の酸化と、独立栄養性脱窒微生物による脱窒とを一槽の脱窒反応槽で行うこともできる。
【００２５】
本発明の生物学的窒素除去方法では、脱窒するアンモニア性窒素濃度に対して、モル比で０．１〜０．４倍の硝酸性窒素が生成されるので、脱窒反応槽の後段に従属栄養性の脱窒菌を利用し、メタノールなどの有機物を添加して硝酸性窒素を脱窒処理する後処理槽を設けることが好ましい。あるいは、本発明の生物学的窒素除去を行う脱窒反応槽内に、独立栄養性の脱窒微生物と従属栄養性の脱窒菌とを共存させ、独立栄養性脱窒微生物による脱窒反応で生成される硝酸性窒素の濃度に応じてメタノール等の有機物を添加することにより、従属栄養性脱窒菌により硝酸性窒素を脱窒することもできる。この場合、後処理槽は省略することができる。
【００２６】
【発明の効果】
本発明の独立栄養性脱窒微生物の集積方法は、種汚泥を自己消化させた後、独立栄養性脱窒微生物の生育に好適な条件で培養しているので、独立栄養性脱窒微生物を短期間で効率よく集積することができる。
【００２７】
本発明の生物学的窒素除去方法は、上記独立栄養性脱窒微生物を使用しているので、低コストでしかも余剰汚泥の生成量を少なくして効率よく排水を処理することができる。
【００２８】
【発明の実施の形態】
次に本発明の実施例について説明する。
【００２９】
実施例１
培養を始める種汚泥としては、排水の生物学的窒素除去処理を行っている処理系から採取したＳＲＴが１か月の硝化脱窒汚泥および５日の硝化脱窒汚泥を使用した。培養液としては表１に示す無機成分を含む無機培養液を使用した。ただし、ＮＯx性窒素の供給源としてはＮａＮＯ2またはＮａＮＯ3のどちらか一方を使用した。
【００３０】
【表１】
0004529277.tif 000002
【００３１】
種汚泥を表１の無機培養液に懸濁させ、３つの３００ｍｌフラスコに入れた（それぞれＲＵＮ１、ＲＵＮ２、ＲＵＮ３という）。窒素ガスを曝気して溶存酸素を除去した後、表２に示す培地成分を添加し、３０℃で暗所において静地培養した。ガスが発生するため、フラスコは密閉せず、発生ガスを回収するためのシリンジを設置した。ＮＨ4−Ｎ濃度、ＮＯ2−Ｎ濃度およびＮＯ3−Ｎ濃度は数日おきに測定し、ＮＯ2−ＮまたはＮＯ3−Ｎ濃度が１．０ｍｇ／Ｌ以下になった場合には添加するものとした。
【００３２】
ＮＯ2−Ｎ濃度またはＮＯ3−Ｎ濃度の変化がなくなった時点で自己消化が終了したと判断し、この時点で培養液中の固形分を表１に示す無機培養液に移し、表２のＲＵＮ２に示す培地成分を添加し、３０℃で暗所において静地培養を継続した。ＮＨ4−Ｎ濃度およびＮＯ2−Ｎ濃度を数日おきに測定し、これらの濃度が低下している場合には硫酸アンモニウムまたは亜硝酸ナトリウム水溶液を添加した。培地成分以外の培養条件を表２にまとめる。
【００３３】
【表２】
0004529277.tif 000003
【００３４】
自己消化期間中のＮＨ4−Ｎ濃度、ＮＯ2−Ｎ濃度およびＮＯ3−Ｎ濃度の変化を図１に示す。また自己消化後の培養期間中のＮＨ4−Ｎ濃度およびＮＯ2−Ｎ濃度の変化を図２に示す。
【００３５】
図１および図２の結果からわかるように、ＮＯ3−Ｎを高濃度に添加したＲＵＮ１では、自己消化期間中に追加の添加は必要なかった。９０日後、ＮＯ3−Ｎの消費はほとんどなくなり、ＮＨ4−Ｎ濃度も一定になったので、この時点で自己消化の終点と判断した。自己消化後の汚泥を無機培地に移してさらに培養を継続したところ、ＮＨ4−ＮおよびＮＯ2−Ｎの同時除去が認められ、除去速度は徐々に上昇した。このことから、独立栄養性脱窒微生物が集積したと認められる。
【００３６】
ＮＯ2−Ｎを添加したＲＵＮ２では、消費速度が速く自己消化期間中に何度も追加の添加を行う必要があった。９０日後あたりからＮＯ2−Ｎの消費速度は徐々に小さくなり、約１１５日後からＮＨ4−Ｎがわずかに減少し始めるとともにＮＯ2−Ｎの消費が停止したので、この時点で自己消化の終点と判断した。自己消化後の汚泥を無機培地に移してさらに培養を継続したところ、ＮＨ4−ＮおよびＮＯ2−Ｎの同時除去が認められ、除去速度は徐々に上昇した。このことから、独立栄養性脱窒微生物が集積したと認められる。
【００３７】
ＲＵＮ３でも自己消化後の汚泥を無機培地に移してさらに培養を継続したが、ＮＨ4−ＮおよびＮＯ2−Ｎの同時除去が認められなかった。このことから、種汚泥中に独立栄養性脱窒微生物がいなかったと認められる。
【図面の簡単な説明】
【図１】実施例１の結果を示すグラフである。（ａ）はＲＵＮ１、（ｂ）はＲＵＮ２、（ｃ）はＲＵＮ３の結果を示す。
【図２】実施例１の結果を示すグラフである。（ａ）はＲＵＮ１、（ｂ）はＲＵＮ２、（ｃ）はＲＵＮ３の結果を示す。
【図１】
0004529277.tif 000004
【図２】
0004529277.tif 000005